(57)【要約】【課題】従来の布類展張機では、送込みローラが定位置において上下動不能状態で取付けられているので、吊下げ長さの異なる布類を展張させる場合に、送込みローラの高さから布類下端部までの長さが変化し、送込みローラによる送込み動作や吸引ボックス内での吸引作用がうまく働かないことがあった。【解決手段】シーツのような大面積の布類Ｓの一辺の両端角部を保持して所定高位置まで吊上げ、その吊上げ布類Ｓ１の両端角部をそれぞれチャック２１，２１で保持して左右に離間・展張させ、その上辺部展張布類Ｓ２の下部側を送込みローラ３７により吸引ボックス３１内に送込んで布類をきれいに展張させるようにした布類展張機において、送込みローラ３７を上下動させる上下動装置５を備えることにより、吊下げ長さの異なる布類であっても送込みローラ３７の高さを調整することで、良好な送込み動作と吸引作用を行わせることができる。【選択図】      図２
2004169201.tif 000002
【特許請求の範囲】
【請求項１】
シーツのような大面積の布類（Ｓ）の一辺の両端角部（Ｓａ，Ｓａ）を保持して所定高位置まで吊上げ、その吊上げ布類（Ｓ１）の両端角部（Ｓａ，Ｓａ）をそれぞれチャック（２１，２１）で保持して左右に離間・展張させ、その上辺部展張布類（Ｓ２）の下部側を送込みローラ（３７）により吸引装置（３）の吸引ボックス（３１）内に送込み、該吸引ボックス（３１）内を下方に吸引して布類をきれいに展張させるようにした布類展張機であって、
前記送込みローラ（３７）は、吸引ボックス（３１）の前壁（３６）の上端部（３６）において上下動可能に設置しているとともに、
前記送込みローラ（３７）を上下動させる上下動装置（５）を備えた、
ことを特徴とする布類展張機。
【請求項２】
請求項１において、
送込みローラ（３７）を上動させたときに生じる送込みローラ（３７）と吸引ボックス前壁（３６）の上端部（３６ａ）との間の隙間を遮蔽する遮蔽部材（７）を有している、
ことを特徴とする布類展張機。
【発明の詳細な説明】
【０００１】
【発明の属する技術分野】
本願発明は、シーツのような大面積の布類（布団カバーも含む）を展張させるための布類展張機に関するものである。
【０００２】
【従来の技術】
例えば、ランドリー工場においては、洗濯・乾燥後の布類をプレス機でプレスしたり、折畳み機で折畳む作業が行われるが、その次工程装置（以下、プレス機で説明する）に布類を供給する際には、予め布類をきれいに展張させておく必要がある。
【０００３】
ところで、シーツのような大面積の布類を展張させるための布類展張機として、従来から図６及び図７に示すようなものがある（例えば、特許文献１の図１、図２）。
【０００４】
この図６及び図７に示す従来の布類展張機は、大面積の布類Ｓの一辺の両端角部Ｓａ，Ｓａを保持して所定高位置まで移送する投入装置１と、投入装置１によって高位置まで移送された布類Ｓ１の両端角部Ｓａ，Ｓａを受取って左右方向に展張させる左右展張装置２と、左右展張装置２のほぼ直下方に設置されていて左右展張装置２で展張された布類Ｓ２の下方部を吸引して展張させる吸引装置３と、左右展張装置２及び吸引装置３で展張された布類Ｓ４を受渡す受渡し装置４と、受渡し装置４から布類Ｓ５を受取ってプレス機側に搬送する搬送装置６とを備えている。
【０００５】
この従来の布類展張機では、図７に示すように投入装置１を左右に２基設置している。尚、この投入装置１は１基だけのもの、あるいは４基程度を左右方向に並設したものもある。この各投入装置１は、人の肩幅程度の間隔をもって左右一対のチャック１１，１１を有している。尚、この各チャック１１は、以下の説明において投入側チャックという。この各投入側チャック１１，１１は、布類Ｓの一辺の両端角部Ｓａ，Ｓａをそれぞれ保持する。そして、該各投入側チャック１１は、布類の両端角部Ｓａ，Ｓａを保持した状態で、昇降装置（ロッドレスシリンダ）１２により上方に移動せしめられる。
【０００６】
左右展張装置２は、各投入側チャック１１，１１で保持されている布類両端角部Ｓａ，Ｓａを受取る左右一対のチャック２１，２１を有している。尚、この左右展張装置２側のチャック２１は、以下の説明において受取側チャックという。この各受取側チャック２１，２１は、布類の両端角部Ｓａ，Ｓａを保持した状態で、それぞれ左右動装置（サーボモータ）２２，２２により相互に離間・近接方向に作動せしめられる。そして、各チャック２１，２１を図７に符号２１′，２１′で示す位置（布類Ｓ２の上辺部Ｓｂが緊張する位置）まで離間させることにより、該布類上辺部Ｓｂを布類展張機の中央部においてきれいに展張させ得るようになっている。
【０００７】
吸引装置３は、縦向きの吸引ボックス３１内の空気を吸引機（バキュームファン）３３で下方に吸引するようになっている。吸引ボックス３１の吸気口３２の近傍には、モータ３８，３８（図７）よって回転せしめられる送込みローラ３７，３７が設けられている。この送込みローラ３７，３７は、同高さの定位置において左右２本使用されている。
【０００８】
搬送装置６は、左右展張装置２から受渡し装置４を介して展張状態の布類Ｓ４を受取る前側コンベア（バキュームコンベア）６１と、それに連続する後側コンベア（排出コンベア）６２を有している。尚、後側コンベア６２は、プレス機側に連続している。
【０００９】
そして、図６及び図７の布類展張機は、次のように機能する。まず、洗濯・乾燥済みの大面積布類Ｓから、その一辺の両端角部Ｓａ，Ｓａを捜し出してそれぞれ投入装置１の各投入側チャック１１，１１に保持させる。そして、スタートボタンを押すと、各投入側チャック１１，１１が布類両端角部Ｓａ，Ｓａを保持したまま上動して、その布類両端角部を左右展張装置２の各受取側チャック２１，２１に受渡し（Ｓ１の状態）、次に該各受取側チャック２１，２１が左右外側に移動して、布類Ｓ１の上辺部Ｓｂを展張させる（Ｓ２の状態）。続いて、送込みローラ３７が送込み方向に高速回転（右回転）するとともに、切換ダンパ３５が鎖線図示側に切換えられて吸引ボックス３１内の空気が吸引され、布類の下端側がＳ３の状態を経てＳ４のように吸引ボックス３１内に吸い込まれる。このとき、この布類Ｓ４には、バキュームファン３３の吸引作用により下方へのテンションがかけられて、該布類が方形状に展張される（Ｓ４の状態）。その後、切換ダンパ３５が実線図示側に切換えられ、各受取側チャック２１，２１で保持されていた布類Ｓ４の上辺部Ｓｂが吸着ボックス４１の先端側上面に吸着・保持され、該吸着ボックス４１が鎖線図示するように後退し、そのとき布類上辺部Ｓｂが前側コンベア（バキュームコンベア）６１上に移乗され（符号Ｓ５の状態）、布類が展張状態のままで前側コンベア６１及び後側コンベア６２を経てプレス機側に供給される。このように、図６及び図７の布類展張機では、展張すべき布類の一辺の両端角部Ｓａ，Ｓａを捜し出して、それを各投入側チャック１１，１１に保持させるだけで、後は自動で方形状に展張させることができる。
【００１０】
ところで、図６及び図７に示す従来の布類展張機は、例えばダブルベッド用シーツのような大面積（例えば２５０ｃｍ×３００ｃｍ程度の面積）の布類を展張させるのに用いられる。そして、各受取側チャック２１，２１は、図７に示すように床面からかなりの高さ位置Ｈ０（例えばＨ０＝約３００ｃｍ）で上辺部展張布類Ｓ２を吊下げ得るようにしている。又、送込みローラ３７，３７は、受取側チャック２１の設置高さＨ０の約１／２（受取側チャック２１から距離Ｈ１、床面から距離Ｈ２）の高さの定位置に設置されている。従って、図７に示すように両受取側チャック２１，２１で展張布類Ｓ４を横長姿勢で吊下げた状態で、吸引ボックス３１内に吸引すると、該布類の下端部Ｓｃが送込みローラ３７の上面からかなりの深さＬ１（この例の場合は、Ｌ１＝１００ｃｍ程度になる）だけ吸引ボックス３１内に侵入するようになり、該展張布類Ｓ４に対して十分な展張作用を付与できる（布類下部側を十分にはためかすことができる）。
【００１１】
【特許文献】
特開２００１−１５９０６７号公報（図１、図２）
【００１２】
【発明が解決しようとする課題】
ところで、ランドリー工場においては、例えばシーツであってもサイズの異なるもの（例えば、ダブルベッド用シーツ、シングルベッド用シーツ等）や布団カバーのようなものも、単一の布類展張機で展張処理するが、上記（図６及び図７）の布類展張機では、送込みローラ３７，３７が所定高さ位置において上下不動状態で取付けられている。従って、シングルベッド用シーツのような幅の狭い（例えば幅が１８０ｃｍ程度）の布類を横長姿勢で吊下げたときには、図８に示すように、その吊下げ布類Ｓ２の下端部Ｓｃが吸引ボックス３１内に比較的浅い深さＬ２（Ｌ２＝約３０ｃｍ程度）しか侵入しなくなる。このように、吊下げ布類Ｓ２の下端部Ｓｃの吸引ボックス３１内への侵入深さＬ２が浅いと、吊下げ布類Ｓ２（又はＳ４）に対して吸引装置３による展張作用が十分に働かず、吊下げ布類をきれいに展張できないことがある。特に、吊下げ布類Ｓ２の下端角部付近に頑強な皺がある場合には、該皺がうまく展張しないことが多々ある。そして、きれいに展張されないままで（例えば皺が残ったままで）布類Ｓ４が後送されると、プレス工程で皺が残ったままプレスされるようになり、品質の悪い仕上がりとなる、という問題がある。
【００１３】
尚、各送込みローラ３７，３７の設置高さを図６〜図８の場合より予め高位置に設置しておくと、受取側チャック２１，２１からの吊下げ長さが短い布類（例えば図８のもの）には好適であるが、ダブルベッド用シーツのように吊下げ長さが長くなる布類（例えば図７のもの）では、送込みローラ３７からの垂れ下がり長さが異常に長くなって該送込みローラ３７，３７による布類下部側の送込みが失敗することがある。
【００１４】
本願発明は、上記した従来の事情に鑑み、受取側チャックから吊下げられた布類の吊下げ長さに応じて、送込みローラの高さを調節し得るようにすることにより、サイズ（吊下げ長さ）の異なる布類であっても、送込みローラによる送込み動作と吸引装置による展張作用をそれぞれ良好に行わせえるようにした布類展張機を提供することを目的としている。
【００１５】
【課題を解決するための手段】
本願発明は、上記課題を解決するための手段として次の構成を有している。
【００１６】
本願請求項１の発明
本願請求項１の発明は、洗濯・乾燥後のシーツのような大面積布類をきれいに展張させるための布類展張機を対象にしている。
【００１７】
この請求項１の布類展張機は、大面積布類の一辺の両端角部を保持して所定高位置まで吊上げ、その吊上げ布類の両端角部をそれぞれチャックで保持して左右に離間・展張させ、その上辺部展張布類の下部側を送込みローラにより吸引装置の吸引ボックス内に送込み、該吸引ボックス内を下方に吸引して布類をきれいに展張させ得るものである。尚、この請求項１の布類展張機における基本的構成は、図６及び図７の従来例のものを採用できる。
【００１８】
そして、本願請求項１の布類展張機では、送込みローラを吸引ボックスの前壁の上端部において上下動可能に設置しているとともに、該送込みローラを上下動させる上下動装置を備えている。
【００１９】
送込みローラは、横長の取付台上に回転自在に取付けることができる。又、この送込みローラは、モータによって所定時期に高速回転せしめられる。尚、この送込みローラは、長尺の１本ものでもよいが、分割した２本を同軸状に並設したものでもよい。
【００２０】
上下動装置としては、例えば伸縮シリンダを採用できる。この上下動装置は、作業位置においてスイッチ操作で作動させることができる。又、この上下動装置は、所定ストローク範囲を段階的に作動させるものでもよく、あるいは該ストローク範囲で無段階に作動させるものでもよい。尚、この上下動装置は、送込みローラをその回転用モータごと上下動させ得る。
【００２１】
ところで、ランドリー工場においては、例えばシーツであってもサイズの異なるもの（例えば、ダブルベッド用シーツ、シングルベッド用シーツ等）や布団カバーのようなものも、単一の布類展張機で展張処理するが、処理すべき布類のサイズによって、吊下げた上辺部展張布類の吊下げ長さ（上辺部展張布類の下端部の高さ）が異なる。
【００２２】
そこで、本願請求項１の布類展張機では、上辺部展張布類の吊下げ長さが長いとき（布類下端部が低位置になる）には、上下動装置により送込みローラを所定の低位置まで下動させた状態で運転し、逆に上辺部展張布類の吊下げ長さが短いとき（布類下端部が高位置になる）には、上下動装置により送込みローラを所定の高位置まで上動させた状態で運転する。このように、上辺部展張布類の吊下げ長さに応じて、送込みローラを高さを調整すると、上辺部展張布類の吊下げ長さが異なっても、それぞれ布類下部側の送込み動作を確実に行え、且つ吸引ボックス内での吸引作用（展張作用）も十分に付与できる。尚、この送込みローラの高さ調整は、同一サイズの布類ばかりを処理する場合には、送込みローラの高さ調整を予め最初に行っておけばよいが、処理すべき布類群の中にサイズの異なるものが混在している場合には、チャックから吊下げて上辺部を展張させた時点で、その吊下げ長さを目視し、その吊下げ長さに応じて、作業位置から上下動装置をスイッチ操作することで、吊下げ布類ごとに送込みローラの高さを調整することができる。
【００２３】
本願請求項２の発明
本願請求項２の発明は、上記請求項１の布類展張機において、送込みローラを上動させたときに生じる該送込みローラと吸引ボックス前壁の上端部との間の隙間を遮蔽する遮蔽部材を有している。
【００２４】
この遮蔽部材は、例えば送込みローラ側に設けた垂下板を吸引ボックス前壁に対して近接重合状態で上下にスライドし得るようにしたもの、又は伸縮自在な蛇腹状のもの、あるいは可撓性のあるシート状のもの等が採用できる。
【００２５】
この請求項２のように、送込みローラと吸引ボックス前壁の上端部との間に遮蔽部材を設けると、吸引装置による吸引時に該送込みローラと吸引ボックス前壁の上端部との間に生じる隙間を遮蔽でき、従ってその隙間からの吸気を極力防止できる（吸引ボックスの吸気口からの吸引力を低下させないで済む）。
【００２６】
【発明の効果】
本願請求項１の発明の布類展張機によれば、上辺部展張布類の吊下げ長さに応じて、上下動装置により送込みローラの高さを調節できるので、送込みローラの高さ位置から下方に垂れ下がる布類長さを、送込み及び吸引（展張）に良好な長さ（例えば５０ｃｍ〜１００ｃｍ程度の範囲）にでき、吊下げ長さの異なる布類であっても、その下部側を送込みローラにより確実に吸引ボックス内に送込むことができるという効果がある。
【００２７】
本願請求項２の発明の布類展張機によれば、上記請求項１の効果に加えて次の効果がある。即ち、送込みローラと吸引ボックス前壁の上端部との間の隙間を遮蔽する遮蔽部材を有しているので、送込みローラが上動して該送込みローラと吸引ボックス前壁の上端部との間に隙間が生じても、その隙間を遮蔽部材で遮蔽できるので、吸引ボックスの吸気口からの吸引力がほとんど低下することがない。従って、吊下げ長さの異なる布類を処理する場合でも、それぞれ上辺部展張布類に対する吸引装置による展張作用を十分に付与させることができるという効果がある。
【００２８】
【発明の実施の形態】
以下、図１〜図５を参照して本願実施形態の布類展張機を説明する。尚、この実施形態の布類展張機は、シーツのような大面積の布類Ｓ（図５に示す布団カバーＳ′も含む）をきれいに展張させてプレス機や折畳み機のような次工程装置側に搬送するものである。
【００２９】
図１〜図４に示す実施形態の布類展張機では、従来例（図６〜図８）の布類展張機と同構造の、投入装置１と、左右展張装置２と、吸引装置３と、受渡し装置４と、送込みローラ３７，３７を備えている。又、搬送装置６は、前側コンベア６１と後側コンベア６２とを有するのは上記の従来例と同じであるが、後側コンベア６２の一部６２ａを前部側に延出させて、例えば枕カバーやバスタオルのような小面積布類を後側コンベア６２の前部６２ａ上に直接載せ掛け得るようにしている。尚、その場合、投入装置１は図示しない揺動装置（伸縮シリンダ）で上方に跳ね上げておく。
【００３０】
又、本願実施形態の布類展張機（図１〜図５）において、従来例のもの（図６及び図７）と同符号を付しているものは、相互に同機能をするものであり、これらの装置類の構造、機能等の説明は、従来技術の項の説明を援用する。尚、受渡し装置４の吸着ボックス４１内の空気は、吸引機４２で吸引されて吸着ボックス４１の前半部上面（多数の小孔が形成されている）に布類上辺部Ｓｂを吸着させ得るようになっている。又、吸着ボックス４１は、左右一対の伸縮シリンダ４３，４３で図１の実線図示位置と鎖線図示位置との間で進退せしめられる。
【００３１】
吸引装置３の吸引ボックス３１内は、吸引機３３によって下方に吸引される。この吸引ボックス３１の前壁３６の高さ（上端部３６ａまでの高さ）は、この実施形態では約１３０ｃｍ程度である。
【００３２】
吸引ボックス前壁３６の前面には、該吸引ボックス前壁３６に対して近接状態で上下スライド可能な遮蔽部材７が設けられている。尚、この遮蔽部材７の機能については後述する。この遮蔽部材７は、横長で適宜高さ幅（例えば６０ｃｍ程度）を有する横長の板部を有している。又、この遮蔽部材７の左右各端部には、板部下面より下方に垂下する垂下部７１，７１が設けられている。
【００３３】
この遮蔽部材７は、左右一対の上下動装置５，５により、吸引ボックス前壁３６の前面近接位置において上下動せしめ得るようになっている。各上下動装置５，５としては、それぞれ伸縮シリンダ５１，５１が採用されている。この遮蔽部材７の上下動範囲（伸縮シリンダ５１のストローク）は、図２に示すように遮蔽部材７の板部上端７ａが吸引ボックス前壁３６の上端部３６ａとほぼ同高さ位置から、図４に示すように遮蔽部材７の板部下端７ｂが吸引ボックス前壁３６の上端部３６ａとほぼ同高さ（又は僅かに低位置）となる範囲に設定している。尚、図示例では、遮蔽部材７の上下動範囲は、例えば約６０ｃｍ程度である。又、この上下動装置５，５は、遮蔽部材７を上下動範囲内で段階的に上下動させても、あるいは無段階的に上下動させてもよいが、少なくとも遮蔽部材７を最下動状態（図２）と最上動状態（図４）とで停止させる必要がある。
【００３４】
送込みローラ３７は、左右２本に分割したものを使用している。そして、この各送込みローラ３７，３７は、遮蔽部材７の上部においてそれぞれ横長の取付台３９，３９を介して設置されている。この各送込みローラ３７，３７は、それぞれモータ３８，３８で回転せしめられる。又、各側の送込みローラ３７，３７と各側の取付台３９，３９と各側のモータ３８，３８とは、それぞれ一体的に結合されている。
【００３５】
各取付台３９，３９は、その各突き合わせ側端部をそれぞれ遮蔽部材７の上面中央位置において軸３４で枢着しているとともに、各取付台３９，３９の各外端側を傾動装置８，８（伸縮シリンダ８１，８１）で支持している。傾動装置８，８となる各伸縮シリンダ８１，８１は、遮蔽部材７の垂下部７１の下端部と取付台３９の外端部との間に介設されている。尚、送込みローラ３７を取付けた取付台３９が遮蔽部材７の上面に設置され、且つ遮蔽部材７は最下動状態で吸引ボックス前壁３６の上端部３６ａとほぼ同高さに位置しているので、送込みローラ３７は吸引ボックス前壁３６の上端部３６ａより上方において上下動し得る。
【００３６】
各取付台３９，３９の前面には、それぞれ下方に所定長さだけ垂下させたカバー４０，４０が取付けられている。このカバー４０は、図５に示すように、送込みローラ３７，３７をそれぞれ傾動させたときに（取付台３９が遮蔽部材７の上面から離間する）、取付台３９と遮蔽部材７の上端部７ａとの間にできる隙間を遮蔽するものである。
【００３７】
この実施形態では、上下動装置５，５の各伸縮シリンダ５１，５１が最縮小状態では、図１及び図２に示すように、遮蔽部材７、各取付台３９，３９、及び各送込みローラ３７，３７、及び傾動装置８，８がそれぞれ下動位置にある。そして、上下動装置５，５の各伸縮シリンダ５１，５１が最伸長すると、図３及び図４に示すように、遮蔽部材７、各取付台３９，３９、各送込みローラ３７，３７、及び各傾動装置８，８が連結された状態で所定位置まで上動するようになっている。又、伸縮シリンダ（上下動装置）５１，５がの最縮小状態では、図２に示すように送込みローラ３７の上面が受取側チャック２１による布類吊持ち高さからＨ１（約１５０ｃｍ）だけ下がった位置にある。尚、図２の送込みローラ３７の位置は、従来例（図７）の送込みローラ３７と同高さである。又、この送込みローラ３７が下動位置（図２）にあるときには、該各送込みローラ３７，３７と吸引ボックス前壁３６の上端部３６ａとの間が各取付台３９，３９で閉塞されている。逆に、伸縮シリンダ（上下動装置）５１，５１が最伸長すると、図４に示すように送込みローラ３７が受取側チャック２１による布類吊持ち高さからＨ３（約９０ｃｍ）だけ下がった位置まで上動する。このように、送込みローラ３７が上動すると、該送込みローラ３７（この実施形態では取付台３９）と吸引ボックス前壁３６の上端部３６ａとの間に隙間ができるが、この隙間は遮蔽部材７によって遮蔽される。
【００３８】
又、左右の傾動装置８，８の伸縮シリンダ８１，８１が縮小状態にあるときには、図２又は図４に示すように、各送込みローラ３７，３７を水平姿勢に維持させる。従って、この状態では両送込みローラ３７，３７が水平な直線状に並んでいる。他方、各傾動装置８，８の伸縮シリンダ８１，８１が伸長すると、図５に示すように各取付台３９，３９の外端側が軸３４を支点としてそれぞれ上方に傾動せしめられて、各送込みローラ３７，３７が緩やかなＶ形に変形する。この各送込みローラ３７，３７のＶ形傾動状態は、図５に示すように布団カバー（中央部に丸ぐり部を有する包布）を展張させる際に、該布団カバーの一部（下部側）が裏返し状態で吊下げられたものについて、該裏返し部分を自動で正常に戻すためのものである。尚、この種の送込みローラ傾動機構は、従来から公知であるので、詳しい説明は省略する。
【００３９】
そして、この実施形態の布類展張機でも、図１及び図２に示すように、大面積の布類Ｓの一辺の両端角部Ｓａ，Ｓａを捜して、その両端角部Ｓａ，Ｓａを一対の投入側チャック１１，１１でそれぞれ保持させた後、スタートボタンを押すと、各投入側チャック１１，１１が布類両端角部Ｓａ，Ｓａを保持したまま上動し→各両端角部Ｓａ，Ｓａを左右展張装置２の各受取側チャック２１，２１に受け渡し（図２のＳ１の状態）→各受取側チャック２１，２１を左右に離間させて、布類の上辺部Ｓｂを展張させる（上辺部展張布類Ｓ２となる）。続いて、送込みローラ３７が送込み方向に高速回転（右回転）するとともに、切換ダンパ３５が鎖線図示側に切換えられて吸引ボックス３１内の空気が吸引されて、布類の下端側がＳ３の状態を経てＳ４のように吸引ボックス３１内に吸い込まれる。このとき、この布類Ｓ４には、バキュームファン３３の吸引作用により、下方へのテンションがかけられて、該布類が方形状に展張される。その後、送込みローラ３７が停止し、切換ダンパ３５が実線図示側に切換えられ、各受取側チャック２１′，２１′で保持されていた布類Ｓ４の上辺部Ｓｂが吸着ボックス４１の先端側上面に吸着・保持され、該吸着ボックス４１が鎖線図示するように後退し、そのとき布類上辺部Ｓｂが前側コンベア（バキュームコンベア）６１上に移乗されて（符号Ｓ５の状態）、展張状態のままで前側コンベア６１及び後側コンベア６２を経てプレス機側に供給される。
【００４０】
ところで、各受取側チャック２１，２１の設置高さは、図２に寸法Ｈ０で示すように床面から約３００ｃｍの位置にある。他方、この布類展張機で処理される布類は、ダブルベッド用シーツ（図１及び図２）のような幅及び長さがそれぞれ長い布類（例えば、２５０ｃｍ×３００ｃｍ程度の面積）と、シングルベッド用シーツ（図３及び図４）のような幅が比較的短い布類（例えば、図４において上下長さが１８０ｃｍ程度）とでは、それぞれ受取側チャック２１，２１から横長姿勢で吊下げたときの吊下げ長さが異なる。そして、送込みローラ３７，３７が図１及び図２に示すように比較的低位置にあると（図６〜図８の従来例と同じ）、幅の狭い布類（図３及び図４）を横長姿勢で吊下げたときには、送込みローラ３７，３７による十分な送込み作用や吸引装置３による十分な展張作用が行われないという問題がある。
【００４１】
そこで、この実施形態の布類展張機では、各受取側チャック２１，２１で上辺部展張布類Ｓ２を吊下げたときに、図２のように布類下端部Ｓｃまでの吊下げ長さが長いものでは、上下動装置５，５により各送込みローラ３７，３７を下動位置まで下げた状態で運転し、逆に図４のように上辺部展張布類Ｓ２の吊下げ長さが短いとき（布類下端部Ｓｃが高位置になる）には、上下動装置５，５により各送込みローラ３７，３７を上動位置まで上動させた状態で運転する。尚、この送込みローラ３７，３７の高さ調整は、同一サイズの布類ばかりを処理する場合には、送込みローラ３７，３７の高さ調整を予め最初に行っておけばよいが、処理すべき布類群の中にサイズの異なるものが混在している場合には、受取側チャック２１，２１から吊下げて上辺部Ｓｂを展張させた時点で、その吊下げ長さを目視し、その吊下げ長さに応じて、作業位置からのスイッチ操作で送込みローラ３７，３７の高さを随時調整することができる。
【００４２】
そして、図２のように、上辺部展張布類Ｓ２の吊下げ長さが長く、且つ送込みローラ３７，３７を下動位置に下げた状態では、送込みローラ３７から布類下端部Ｓｃまでの長さＬ１が、該送込みローラ３７を回転させて布類下部側を吸引ボックス３１内に送込むときの送込み動作を良好に行える程度になる（例えばＬ１＝約１００ｃｍ）。又、吸引ボックス３１内に送込まれたときの布類下部側の侵入深さがＬ１（約１００ｃｍ）が、吸引装置３による吸引作用が良好に付与される程度になるので、布類Ｓ４の展張作用も良好に行われる。
【００４３】
他方、図４のように、上辺部展張布類Ｓ２の吊下げ長さが比較的短く、且つ送込みローラ３７，３７を上動位置に上げた状態では、送込みローラ３７から布類下端部Ｓｃまでの長さＬ３が、該送込みローラ３７を回転させて布類下部側を吸引ボックス３１内に送込むときの送込み動作を良好に行える程度になる（例えばＬ３＝約９０ｃｍ）。又、吸引ボックス３１内に送込まれたときの布類下部側の侵入深さがＬ３（約９０ｃｍ）が、吸引装置３による吸引作用が良好に付与される程度になるので、この場合も布類Ｓ４の展張作用が良好に行われる。尚、図３及び図４に示すように、送込みローラ３７（取付台３９）を上動させたときには取付台３９と吸引ボックス前壁３６の上端部３６ａとの間に隙間ができるが、その隙間は遮蔽部材７で遮蔽されているので、吸引ボックス３１の吸気口３２からの吸引力はほとんど低下しない。
【００４４】
このように、この実施形態の布類展張機では、上辺部展張布類Ｓ２の吊下げ長さに応じて、送込みローラ３７，３７を高さを調整すると、上辺部展張布類の吊下げ長さが異なっても、それぞれ布類下部側の送込み動作を確実に行え、且つ吸引ボックス３１内での吸引作用もそれぞれ十分に付与できる。
【図面の簡単な説明】
【図１】本願実施形態の布類展張機の縦断面図（図２の中央縦断面図）である。
【図２】図１の布類展張機の左側面図である。
【図３】図１からの状態変化図である。
【図４】図３からの状態変化図である。
【図５】布類展張機の他の使用例を示す図２からの状態変化図である。
【図６】従来の布類展張機の縦断面図（図７の中央縦断面図）である。
【図７】図６の左側面図である。
【図８】図７の布類展張機の問題点を示す説明図である。
【符号の説明】
１は投入装置、２は左右展張装置、３は吸引装置、４は受渡し装置、５は上下動装置、６は搬送装置、７は遮蔽部材、１１は投入側チャック、２１は受取側チャック、２２は左右動装置、３１は吸引ボックス、３６は吸引ボックス前壁、３６ａは前壁上端部、３７は送込みローラ、５１は伸縮シリンダ、Ｓは布類、Ｓａは布類角部、Ｓｂは布類上辺部、Ｓｃは布類下端部である。
【図１】
2004169201.tif 000003
【図２】
2004169201.tif 000004
【図３】
2004169201.tif 000005
【図４】
2004169201.tif 000006
【図５】
2004169201.tif 000007
【図６】
2004169201.tif 000008
【図７】
2004169201.tif 000009
【図８】
2004169201.tif 000010